(57)【要約】【課題】強化繊維で補強された樹脂製の車両用外装パネルの意匠性と強度を両立させる。【解決手段】車両用外装パネルとしてのバックドア１において、樹脂製のインナパネル部材５及びアウタパネル部材７の少なくとも一方の裏面に、強化繊維を含む補強部１３を部分的に、かつパネル本体１１，３１よりも凸状に膨出するように形成する。また、両パネル部材５，７の製造時には、金型４３の成形面５１に凹部５３を形成し、その凹部５３内に、補強部１３を形成する強化繊維材料４７を収容配置して強化繊維材料４７及びＳＭＣ材料４５を同時に熱圧成形して、インナパネル部材５及びアウタパネル部材７を作製する。【選択図】図４
2019010910.tif 000002
【特許請求の範囲】
【請求項１】
樹脂製のインナパネル部材（5）と樹脂製のアウタパネル部材（7）とがそれぞれの裏面同士で一体的に貼り合わされて形成された車両用外装パネルであって、
上記インナパネル部材（5）はインナパネル本体（11）を、アウタパネル部材（7）はアウタパネル本体（31）をそれぞれ備えており、
上記インナパネル本体（11）及びアウタパネル本体（31）の少なくとも一方の裏面には、強化繊維を含む補強部（13）が形成され、
上記補強部（13）は、上記パネル部材（5,7）の裏面に部分的に、かつ上記パネル本体（11,31）よりも凸状に膨出するように形成されていることを特徴とする車両用外装パネル。
【請求項２】
請求項１に記載の車両用外装パネルにおいて、
上記補強部（13）は、上記パネル部材（5,7）の外周縁に形成されていることを特徴とする車両用外装パネル。
【請求項３】
請求項１又は２に記載の車両用外装パネルにおいて、
上記パネル部材（5,7）には開口（15,33）が設けられており、
上記補強部（13）は、上記パネル部材（5,7）の上記開口（15,33）の周縁部に形成されていることを特徴とする車両用外装パネル。
【請求項４】
請求項１〜３のいずれか１項に記載の車両用外装パネルにおいて、
上記補強部（13）は、上記インナパネル部材（5）及びアウタパネル部材（7）の両方に形成されていることを特徴とする車両用外装パネル。
【請求項５】
請求項１〜４のいずれか１項に記載の車両用外装パネルの製造方法であって、
内部の成形面（51）に凹部（53）が形成された金型（43）の該凹部（53）内に、上記補強部（13）を形成する強化繊維材料（47）を配置する強化繊維材料配置工程と、
上記金型（43）内の成形面（51）に、上記パネル本体（11,31）を形成するＳＭＣ材料（45）を配置するＳＭＣ材料配置工程と、
上記強化繊維材料（47）及びＳＭＣ材料（45）を同時に熱圧成形して、上記インナパネル部材（5）及びアウタパネル部材（7）の少なくとも一方を作製する成形工程と、
上記インナパネル部材（5）と上記アウタパネル部材（7）とをそれぞれの裏面同士で一体的に貼り合わせる貼付工程とを備えることを特徴とする車両用外装パネルの製造方法。
【請求項６】
請求項５に記載の車両用外装パネルの製造方法において、
上記ＳＭＣ材料配置工程において、上記ＳＭＣ材料（45）は上記強化繊維材料（47）の端部を覆うように上記金型（43）内の成形面（51）に配置することを特徴とする車両用外装パネルの製造方法。
【請求項７】
請求項５又は６に記載の車両用外装パネルの製造方法において、
上記強化繊維材料配置工程で上記凹部（53）内に配置された上記強化繊維材料（47）を真空引きによって上記金型（43）に密着させることを特徴とする車両用外装パネルの製造方法。
【発明の詳細な説明】
【技術分野】
【０００１】
本発明は、インナパネル部材とアウタパネル部材とが一体的に貼り合わされて形成された車両用外装パネルとその製造方法に関するものである。
【背景技術】
【０００２】
この種の車両用外装パネルとして、従来、例えば特許文献１には、車両のバックドアに用いられる車両用外装パネルが開示されている。この車両用外装パネルは、例えばＳＭＣ（シート・モールディング・コンパウンド）材料を用いた熱圧成形によって成形されたものである。ＳＭＣ材料は、強度と意匠性に優れており、ＳＭＣ材料を用いることで車両用外装パネルを薄肉化（軽量化）することができる。
【先行技術文献】
【特許文献】
【０００３】
【特許文献１】特開２０１６−９４０６５号公報
【発明の概要】
【発明が解決しようとする課題】
【０００４】
ところで、特許文献１のような樹脂材料からなる車両用外装パネルを、強度を確保しながらさらに薄肉化（軽量化）するには、強化繊維を含む補強部でパネル部材全面を補強すればよい。そして、そのような車両用外装パネルを構成するパネル部材を成形するには、樹脂材料の下に補強部を形成する強化繊維材料を敷いた状態で、樹脂材料と強化繊維材料とを同時に熱圧成形することが考えられる。
【０００５】
しかし、その場合、強化繊維材料上では、強化繊維の凹凸により樹脂材料の流動性が悪くなり、樹脂材料中に気泡が存在している場合、気泡が熱圧成形後もパネル部材の中に残ってしまう。また、樹脂材料の肉厚を例えば１．８ｍｍ以下にまで薄く成形すると、樹脂材料における強化繊維材料と接する面の裏面にまで強化繊維の凹凸が反映されてしまう。このため、パネル部材の意匠性が悪くなってしまう問題が生じる。
【０００６】
本発明はかかる点に鑑みてなされたものであり、その目的とするところは、車両用外装パネルの構造及びその製造方法に工夫を加えることで、強化繊維で補強された樹脂製の車両用外装パネルの意匠性と強度を両立させることにある。
【課題を解決するための手段】
【０００７】
上記の目的を達成するために、この発明では、パネル部材に部分的に強化繊維を含む補強部を設けることとした。
【０００８】
具体的には、第１の発明は、樹脂製のインナパネル部材と樹脂製のアウタパネル部材とがそれぞれの裏面同士で一体的に貼り合わされて形成された車両用外装パネルであって、上記インナパネル部材はインナパネル本体を、アウタパネル部材はアウタパネル本体をそれぞれ備えており、上記インナパネル本体及びアウタパネル本体の少なくとも一方の裏面には、強化繊維を含む補強部が形成され、上記補強部は、上記パネル部材の裏面に部分的に、かつ上記パネル本体よりも凸状に膨出するように形成されていることを特徴とする。
【０００９】
第２の発明は、第１の発明において、上記補強部は、上記パネル部材の外周縁に形成されていることを特徴とする。
【００１０】
第３の発明は、第１又は第２の発明において、上記パネル部材には開口が設けられており、上記補強部は、上記パネル部材の上記開口の周縁部に形成されていることを特徴とする。
【００１１】
第４の発明は、第１〜第３の発明のいずれか１つにおいて、上記補強部は、上記インナパネル部材及びアウタパネル部材の両方に形成されていることを特徴とする。
【００１２】
第５の発明は、第１〜第４の発明のいずれか１つの車両用外装パネルの製造方法であって、内部の成形面に凹部が形成された金型の該凹部内に、上記補強部を形成する強化繊維材料を配置する強化繊維材料配置工程と、上記金型内の成形面に、上記パネル本体を形成するＳＭＣ材料を配置するＳＭＣ材料配置工程と、上記強化繊維材料及びＳＭＣ材料を同時に熱圧成形して、上記インナパネル部材及びアウタパネル部材の少なくとも一方を作製する成形工程と、上記インナパネル部材と上記アウタパネル部材とをそれぞれの裏面同士で一体的に貼り合わせる貼付工程とを備えることを特徴とする。
【００１３】
第６の発明は、第５の発明において、上記ＳＭＣ材料配置工程において、上記ＳＭＣ材料は上記強化繊維材料の端部を覆うように上記金型内の成形面に配置することを特徴とする。
【００１４】
第７の発明は、第５又は第６の発明において、上記強化繊維材料配置工程で上記凹部内に配置された上記強化繊維材料を真空引きによって上記金型に密着させることを特徴とする。
【発明の効果】
【００１５】
第１の発明によれば、補強部が部分的に形成されている。このため、成形時において、パネル部材を形成する樹脂材料の流動性が悪くなる箇所も部分的になる。また、補強部はパネル部材の裏面に形成されている。このため、補強部は、車両用外装パネルの外部から目視されない。したがって、パネル本体を薄肉化して補強部を設けたことによる車両用外装パネルの意匠性の低下を抑えることができる。また、パネル部材の貼り合わせの際に、補強部を接着剤が設けられる箇所の目印とすることもできる。さらに、補強部は、パネル本体よりも凸状に膨出するように形成されている。このため、パネル部材を組み立てる際に、作業者の手が補強部に引っ掛かるので、作業者が扱い易くなり作業性が向上する。また強度が高いので作業者が掴んだ部分の割れ等の損傷を防止することができる。
【００１６】
第２の発明によれば、パネル部材の外周縁が補強されることで車両用外装パネルのねじり剛性を向上させることができる。さらに、パネル部材の組立の際には、作業者はパネル部材の外周縁を掴むことが多い。よって組立時の作業性及び強度をさらに高めることができる。
【００１７】
第３の発明によれば、パネル部材の組立の際には、作業者はパネル部材の開口の周縁部を掴むことが多い。よって組立時の作業性及び強度をさらに高めることができる。
【００１８】
第４の発明によれば、車両用外装パネルの強度をさらに高めることができる。
【００１９】
第５の発明によれば、強化繊維材料が凹部内に配置されるので、成形工程時に、流動するＳＭＣ材料によって強化繊維材料が成形面上で移動して位置ずれすることを防止することができる。したがって、強度が要求される部分に確実に補強を行うことができる。また、補強部の凸形状を容易に成形することができ、貼付工程での作業が容易になる。
【００２０】
第６の発明によれば、成形工程時に、金型によって加圧されたＳＭＣ材料が流動中に、強化繊維材料を端部からめくる不具合が生じるのを防止することができる。
【００２１】
第７の発明によれば、成形工程時に、強化繊維材料が金型に密着することで、ＳＭＣ材料にめくられることをさらに確実に防止することができる。
【図面の簡単な説明】
【００２２】
【図１】本発明の実施形態に係る車両用外装パネルとしてのバックドアを後側から見た全体斜視図である。
【図２】バックドアの分解斜視図である。
【図３】インナパネル部材を裏面から見た正面図である。
【図４】アウタパネル部材を裏面から見た正面図である。
【図５】実施形態に係るプレス金型の部分拡大図である。
【図６】配置工程を示す図５相当図である。
【図７】成形工程を示す図５相当図である。
【発明を実施するための形態】
【００２３】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２４】
なお、以下の実施形態では、説明の便宜上、車両前後方向における前側を「前」、後側を「後」と称し、車両前方を向いて車幅方向における左側を「左」、右側を「右」と称し、車高方向における上側を「上」、下側を「下」と称する。
【００２５】
−バックドアの構成−
〈概略構成〉
図１に示す車両用外装パネルとしてのバックドア１は、自動車３の車体の後端に設けられた上下開閉式のバックドアである。バックドア１は、上下方向に開閉可能に上端部でヒンジ（図示せず）によって車体に連結されている。これにより、バックドア１がヒンジを支点に上下方向に揺動して車体の開口を開閉するようになっている。また、車体後端の左右両側部には、棒状のスプリング内蔵ダンパー（図示せず）の一端が取り付けられ、該ダンパーの他端は、バックドア１のインナパネル部材５の車幅方向両側端縁に連結されており、バックドア１はダンパーによって付勢されながら開閉するようになっている。
【００２６】
図２に示すように、このバックドア１は、車内側（前側）に位置するインナパネル部材５と、車外側（後側）に位置するアウタパネル部材７と窓パネル９とを備える。これらのインナパネル部材５とアウタパネル部材７とは、それぞれの裏面同士で一体的に貼り合わされている。また、窓パネル９は、アウタパネル部材７に取り付けられている。
【００２７】
〈インナパネル部材〉
インナパネル部材５は、樹脂製のパネルである。インナパネル部材５は、インナパネル本体１１を備えている。インナパネル本体１１は、例えば、不飽和ポリエステル樹脂、ビニルエステル樹脂、エポキシ樹脂の主材料にガラス繊維、カーボン繊維、有機繊維等の強化繊維が混入されているものである。また、インナパネル本体１１の肉厚は１．４ｍｍ以上１．８ｍｍ以下であるのが好ましい。
【００２８】
図２及び図３に示すように、インナパネル本体１１の上部には、車幅方向に延びる略矩形状の窓用開口１５が形成されている。インナパネル本体１１のうち窓用開口１５の周縁部には、後方に向いて起立した立ち壁１７と、この立ち壁１７の後端から窓用開口１５の内方へ突出した接合片１９とが設けられている。インナパネル本体１１の下部には、車幅方向に延びる略矩形状の作業用開口２１が形成されている。インナパネル本体１１のうち作業用開口２１の周縁部には、後方に向いて起立した立ち壁２３と、この立ち壁２３の後端から作業用開口２１の内方へ突出した接合片２５とが設けられている。さらに、インナパネル本体１１の外周縁部には、後方に向いて起立した立ち壁２７と、この立ち壁２７の後端から外側方へ突出した接合片２９とが設けられている。
【００２９】
このように、インナパネル本体１１は、窓用開口１５及び作業用開口２１の各々の周りの内周縁部と外周縁部とが後方に起立することで、全体が凹形状とされている。
【００３０】
図３に示すように、インナパネル本体１１の裏面（後側の面）には複数の補強部１３，１３，…が部分的に形成されている。これら補強部１３，１３，…は、インナパネル本体１１の外周縁に位置する上記接合片２９の全体と、窓用開口１５の立ち壁１７の周囲の凹んだ部分のうち、窓用開口１５の左右両側から上側部分の左右両端部に亘る部分に対応する箇所とに形成されている。補強部１３は、インナパネル本体１１よりも後方側に凸状に膨出するようにインナパネル本体１１と一体に形成されている。そして、補強部１３は、例えばガラス繊維、炭素繊維、セルロース繊維、ケブラー繊維などの各種強化繊維からなる不織布や織布で構成されている。
【００３１】
〈アウタパネル部材〉
アウタパネル部材７は、樹脂製のパネルである。アウタパネル部材７は、アウタパネル本体３１を備えている。アウタパネル本体３１は、例えば、不飽和ポリエステル樹脂、ビニルエステル樹脂、エポキシ樹脂等の熱硬化性樹脂の主材料にガラス繊維、カーボン繊維、有機繊維等の補強繊維材が混入されている。また、アウタパネル本体３１の肉厚は１．２ｍｍ以上１．６ｍｍ以下であるのが好ましい。
【００３２】
図２及び図４に示すように、アウタパネル本体３１の上部には、車幅方向に延びる略矩形状の窓用開口３３が形成されている。アウタパネル本体３１の窓用開口３３は、インナパネル部材５の窓用開口１５に対応するように形成されている。
【００３３】
図４に示すように、アウタパネル本体３１の裏面（前側の面）には複数の補強部１３，１３，…が部分的に形成されている。これらの補強部１３，１３，…は、アウタパネル本体３１の外周縁全体と、窓用開口３３の周縁部全体と、アウタパネル本体３１下部における左右両側部分とに形成されている。補強部１３は、インナパネル本体１１よりも前方側に凸状に膨出するようにアウタパネル本体３１と一体に形成されている。また、補強部１３は、例えばガラス繊維、炭素繊維、セルロース繊維、ケブラー繊維などの各種強化繊維からなる不織布や織布で構成されている。
【００３４】
〈窓パネル〉
窓パネル９は、図１及び図２に示すように、バックドア１の左右両端に亘って車幅方向に延びる横長パネルである。窓パネル９は、アウタパネル部材７に後側から貼り付けられて、アウタパネル部材７及びインナパネル部材５の窓用開口１５，３３を気密状に塞いでいる。この窓パネル９は、樹脂製又はガラス製の透明な本体パネル３５と、この本体パネル３５の外周部分の車内側の面に外周に亘って設けられた黒色のセラミックス等からなる隠蔽層３７とを備える。
【００３５】
−バックドアの製造方法−
以下に、上記構成の車両用外装パネルとしてのバックドア１を製造する方法での手順を図５〜図７により説明する。この製造方法は、配置工程、成形工程及び貼付工程を有する。
【００３６】
このバックドア１のインナパネル部材５及びアウタパネル部材７の成形には、キャビティ型４１及びコア型４３を備えたプレス金型４０を用いる。パネル部材５，７のパネル本体１１，３１を形成する材料は、ＳＭＣ材料４５である。本実施形態のＳＭＣ材料４５は、例えば不飽和ポリエステル樹脂の主材料にガラス繊維、カーボン繊維、有機繊維等の強化繊維を混入させて板状に加工したものである。また、パネル部材５，７の補強部１３を形成する材料は、強化繊維材料としてのＦＲＰプリプレグ４７である。ＦＲＰプリプレグ４７は、例えばガラス繊維のような強化繊維からなる不織布や織布に不飽和ポリエステルのような熱硬化性樹脂を含浸させてシート状に加工したものである。
【００３７】
〈金型の構成〉
上記キャビティ型４１は、その内部に水平方向に延びる成形面４９を有している。この成形面４９は、上記パネル部材５，７の表面及び端面を成形するものである。また、図５に示すように、上記コア型４３は、その内部にパネル部材５，７の裏面を成形する成形面５１を有する。この成形面５１には、部分的に凹部５３が形成されている。この凹部５３は、ＦＲＰプリプレグ４７を配置収容するための部分である。また、凹部５３は、その深さがＦＲＰプリプレグ４７の肉厚と略同一になるように形成されている。インナパネル部材５の金型では、凹部５３は、コア型４３の成形面５１における、インナパネル本体１１の外周縁の接合片２９全体を形成する部分と、窓用開口１５の立ち壁１７の周囲の凹んだ部分を形成する部分のうち、窓用開口１５の左右両側から上側部分の左右両端部に亘る部分に対応する箇所を形成する部分とに設けられている。また、アウタパネル部材７の金型では、凹部５３は、アウタパネル本体３１の外周縁全体を形成する部分と、窓用開口３３の周縁部全体を形成する部分と、アウタパネル本体３１下部における左右両側を形成する部分とに設けられている。また、各凹部５３の底面の端部には例えば２カ所の吸引孔５５が開口されている。この吸引孔５５は、コア型４３を貫通して図外の負圧吸引装置に連通しており、凹部５３内に配置されたＦＲＰプリプレグ４７を負圧によって吸引してコア型４３に密着させるようになっている。
【００３８】
〈配置工程〉
図６に示すように、配置工程は、強化繊維材料配置工程と、ＳＭＣ材料配置工程とを備える。
【００３９】
まず、強化繊維材料配置工程では、コア型４３の成形面５１に形成された凹部５３内にＦＲＰプリプレグ４７を載置して収容する。このとき、凹部５３の形状に合わせて、ＦＲＰプリプレグ４７に切り込みや折目を形成することができる。その後のＳＭＣ材料配置工程で、ＳＭＣ材料４５をコア型４３の成形面５１に、ＳＭＣ材料４５の端部がＦＲＰプリプレグ４７の端部を覆うように載置する。図６では、２枚のＳＭＣ材料４５を重ねて載置しているが、ＳＭＣ材料４５を重ねる枚数は成形する箇所によって適宜変更可能である。
【００４０】
〈成形工程〉
次に、図７に示すように、成形工程では、上記ＦＲＰプリプレグ４７及びＳＭＣ材料４５がコア型４３の成形面５１に配置された状態で上記キャビティ型４１を下降させて、ＦＲＰプリプレグ４７及びＳＭＣ材料４５を同時に熱圧成形する。このとき、ＦＲＰプリプレグ４７及びＳＭＣ材料４５に含まれる不飽和ポリエステルは流動するので、これらの不飽和ポリエステルは混ざり合う。また、成形工程中は、上記吸引孔５５から吸引を行うことでＦＲＰプリプレグ４７をコア型４３（凹部５３内）に密着させる。このようにして上記インナパネル部材５及びアウタパネル部材７をそれぞれ作製する。
【００４１】
〈貼付工程〉
このようにして、上記成形工程で作製されたインナパネル部材５とアウタパネル部材７とをそれぞれの裏面同士で接着剤等により一体的に貼り合わせる。そして、アウタパネル部材７の窓用開口３３の周縁部に、上記窓パネル９を接着により貼り付ける。このようにして、本実施形態の車両用外装パネルとしてのバックドア１を製造する。
【００４２】
−実施形態の効果−
したがって、本実施形態によれば、バックドア１におけるインナパネル部材５とアウタパネル部材７とは、いずれも各々のパネル本体１１，３１に強化繊維からなる補強部１３が部分的に形成されている。このため、上述した成形時において、パネル部材５，７のパネル本体１１，３１を形成するＳＭＣ材料４５の流動性が悪くなる箇所も部分的になる。その分、熱圧成形後もパネル部材５，７の中に残る気泡が低減される。また、インナパネル本体１１の肉厚を１．４ｍｍ以上１．８ｍｍ以下、アウタパネル本体３１の肉厚を１．２ｍｍ以上１．６ｍｍ以下にまで薄くしても、表面のうち補強部１３の強化繊維の凹凸が反映される箇所も部分的になる。このことにより、パネル部材５，７の意匠性の低下を抑えることができる。
【００４３】
また、補強部１３はパネル部材５，７の裏面に形成されている。このため、補強部１３は、バックドア１の外部から目視されない。したがって、補強部１３を設けたことによるバックドア１の意匠性の低下を抑えることができる。
【００４４】
また、パネル部材５，７の外周縁が補強部１３によって補強されることでバックドア１のねじり剛性を向上させることができる。したがって、強度が要求される部分に部分的に補強を行うことができる。
【００４５】
さらに、アウタパネル部材７及びインナパネル部材５の両方に補強部１３を設けるので、バックドア１の強度をさらに高めることができる。
【００４６】
また、バックドア１を製造する際において、ＦＲＰプリプレグ４７がコア型４３の成形面５１の凹部５３内に載置される。このため、成形工程時に、ＦＲＰプリプレグ４７が、流動するＳＭＣ材料４５によって成形面５１上で押されて移動し位置ずれすることを防止することができる。したがって、パネル部材５，７の補強を行いたい部分に確実に補強部１３を形成することができる。また、補強部１３の凸形状を容易に成形することができる。
【００４７】
さらに、バックドア１の製造時にＳＭＣ材料４５は、ＦＲＰプリプレグ４７の端部を覆うようにコア型４３の成形面５１に載置されて、そのＦＲＰプリプレグ４７の端部を押さえ込んでいると共に、そのＦＲＰプリプレグ４７自体も真空引きによってコア型４３に密着している。このため、成形工程時に、流動するＳＭＣ材料４５がＦＲＰプリプレグ４７の端部を押圧しても、そのＦＲＰプリプレグ４７が端部からめくれ上がって変形等することを防止して、正常な形状の補強部１３を形成することができる。
【００４８】
また、補強部１３はパネル本体１１，３１から凸状に膨出するように設けられていて、パネル部材５，７の裏側から目視可能である。このため、貼付工程でのパネル部材５，７の貼り合わせの際に、その補強部１３に接着剤を設ければよく、補強部１３を、接着剤を設ける箇所の目印とすることもできる。さらに、貼付工程等で作業者がパネル部材５，７を取り扱うときに、作業者はパネル部材５，７の外周縁や開口の周縁部を掴むことが多い。それらの作業者の掴む位置に補強部１３が設けられているので、作業者の手が補強部１３に引っ掛かり易くなり、作業者がパネル部材５，７を扱い易くなって作業性が向上する。また、作業者が掴んだ部分に誤って割れ等の損傷が生じるのを防止することができる。
【００４９】
また、インナパネル部材５の窓用開口１５の立ち壁１７の周囲の凹んだ部分のうち、窓用開口１５の左右両側から上側部分の左右両端部に亘る部分に対応する箇所は、上記ダンパーからの力が掛かるため、強度が求められている部分である。また、アウタパネル本体３１下部における左右両側は、車両が追突される場合に備えるために強度が求められている。そして、本実施形態では、これらの強度が求められる部位に確実に補強部１３を形成することができる。したがって、車両用外装パネルにおける強度が求められる部分を補強することができる。
【００５０】
（その他の実施形態）
上記実施形態のアウタパネル部材７は一枚物のパネルであるが、本発明はこれに限定されない。例えばアウタパネル部材７は、上側に位置するアッパアウタパネル部材及び下側に位置するロアアウタパネル部材の２枚のパネルから構成されるようにしてもよい。
【００５１】
また、上記実施形態では、インナパネル本体１１の肉厚を１．４ｍｍ以上１．８ｍｍ以下とし、アウタパネル本体３１の肉厚を１．２ｍｍ以上１．６ｍｍ以下としていたが、本発明のパネル本体１１，１３の肉厚はこれに限定されない。
【００５２】
また、上記実施形態では、補強部１３は、パネル部材５，７裏面の外周縁全体に設けられていたが、本発明はこれに限定されない。パネル部材５，７裏面の外周縁に断続的に設けてもよいし、上述した箇所以外に設けてもよい。また、アウタパネル部材又はインナパネル部材のどちらか一方に設けてもよい。要は、補強部１３は、パネル部材５，７の少なくとも一方の裏面に部分的に設けられていればよい。
【００５３】
また、上記実施形態では、凹部５３の深さは、ＦＲＰプリプレグ４７の肉厚と等しくなるようにしていたが、本発明はこれに限定されない。凹部５３は、ＦＲＰプリプレグ４７の肉厚よりも深くてもよい。このことにより、成形時にＦＲＰプリプレグ４７がＳＭＣ材料４５にめくられることがより抑制される。さらに、補強部１３におけるパネル部材５、７の板厚が厚くなり、パネル部材５、７の強度をより高めることができる。
【００５４】
また、上記実施形態では、車両用外装パネルとしてのバックドアについて説明したが、本発明はこれに限定されない。車両用外装パネルとしては、バックドアの他に例えばサイドドア、ボンネット、ルーフ、フェンダー等が挙げられる。
【産業上の利用可能性】
【００５５】
本発明では、意匠性と強度に優れた車両用外装パネルが得られて有用である。
【符号の説明】
【００５６】
１  バックドア（車両用外装パネル）
５  インナパネル部材
７  アウタパネル部材
１１  インナパネル本体
１３  補強部
１５  窓用開口（開口）
３１  アウタパネル本体
３３  窓用開口（開口）
４０  プレス金型
４３  コア型
４５  ＳＭＣ材料
４７  強化繊維材料
５１  成形面
５３  凹部
【図１】
2019010910.tif 000003
【図２】
2019010910.tif 000004
【図３】
2019010910.tif 000005
【図４】
2019010910.tif 000006
【図５】
2019010910.tif 000007
【図６】
2019010910.tif 000008
【図７】
2019010910.tif 000009